(57)【特許請求の範囲】
【請求項１】
蓋面前板５ａの下端部や底面板３の前端部などに、金属製や硬化樹脂製などの横長鋸刃２０を取付けて成る、円筒状の紙管４０に巻いたラップフィルム３０を収容する横長直方体状の紙箱１０において、後面板４の上部に、中央に横方向の谷折り線ｄと下端の左右に繋止突起ｅ，ｅとを設けたつづみ形の押え部材４２を、横方向の折り目線ａと切れ目線ｃとで区画して設けて、また後面板４の上部の谷折り線ｄの延長線上の左右に、横方向の繋止切れ目ｆ，ｆを設けて、後面板４の上部内面側に、このつづみ形の押え部材４２を折り目線ａを山折りして押込んで、谷折り線ｄを谷折りして繋止切れ目ｆ，ｆに繋止突起ｅ，ｅを挿入して繋止して、二重ひさし状の押え部材４２を形成したことを特徴とするラップフィルム収容紙箱。
【請求項２】
蓋面前板５ａの下端部や底面板３の前端部などに、金属製や硬化樹脂製などの横長鋸刃２０を取付けて成る、円筒状の紙管４０に巻いたラップフィルム３０を収容する横長直方体状の紙箱１０において、後面板４の上部に、左右の端部に繋止切欠きｇ，ｇを設けた２枚で１組の相対する羽根形の押え部材４３を、縦方向の折り目線ｂ，ｂと切れ目線ｃ，ｃとで区画して設けて、後面板４の上部内面側に、この相対する羽根形の押え部材４３を折り目線ｂ，ｂを山折りして押込んで、繋止切欠きｇ，ｇどうしを繋止して、羽根を休めた形状の押え部材４３を形成したことを特徴とするラップフィルム収容紙箱。
【発明の詳細な説明】
【０００１】
【発明の属する技術分野】
本発明は、家庭用のアルミホイルや樹脂フィルムなどの、円筒状の紙管４０に巻いたラップフィルム３０を収容する、ラップフィルム３０の飛出しと巻戻りとを防止した、横長直方体状のラップフィルム収容紙箱に関する。
【０００２】
【従来の技術】
従来から、例えば図４に示すような、ラップ支え片２ｂと前面板２と底面板３と後面板４と蓋面板５と蓋面前板５ａとを、折り目線（符号がない１点鎖線、以下同じ）を介して順に連設して、この前面板２と底面板３と後面板４と蓋面板５と蓋面前板５ａとの左右辺に、糊代片６ｃ，６ｃと側面板６，６と側面内板６ｂ，６ｂと蓋面横板５ｂ，５ｂと糊代片５ｃ，５ｃとを、それぞれ折り目線を介して連設して、また蓋面前板５ａの下辺（図４Ａでは上辺）に、前面板２にスポット状に貼着する開封片７を、断続的な切れ目線ｉを介して連設して成る、被せ蓋式の横長直方体状の紙箱１０において、蓋面前板５ａの下端部（図４Ａでは上端部）の内面側に、図４Ａ，Ｂ，Ｃに示す金属製や硬化樹脂製などの横長鋸刃２０を、この切れ目線ｉから僅かにはみ出して取付けた、また底面板３の前端部などの外面側に、図示していない金属製や硬化樹脂製などの横長鋸刃２０を、折り目線から僅かにはみ出して取付けた、家庭用のアルミホイルや樹脂フィルムなどの、円筒状の紙管４０に巻いたラップフィルム３０を収容する紙箱１０が、一般に広く用いられている。
【０００３】
【発明が解決しようとする課題】
この従来の、図４に示す円筒状の紙管４０に巻いたラップフィルム３０を収容する紙箱１０については、図４Ｂに示すように、前面板２にスポット状に貼着した開封片７を剥がしながら、断続的な切れ目線ｉを切断して除去して開蓋して、例えば図４Ｃに示すように、ラップフィルム３０を必要長さだけ引出して、この切れ目線ｉから僅かにはみ出して取付けた横長鋸刃２０で切断して使用することができる、最も一般的で便利なラップフィルム収容紙箱である。
【０００４】
ところが従来の、特に被せ蓋式の横長直方体状の紙箱１０において、蓋面前板５ａの下端部の内面側に、金属製や硬化樹脂製などの横長鋸刃２０を取付けたラップフィルム収容紙箱については、図４Ｃに破線で示す紙箱１０を開蓋した状態で、ラップフィルム３０を必要長さだけ引出した時に、引っ張られて、円筒状の紙管４０に巻いたラップフィルム３０が飛出し易いことが問題であって、また図４Ｃに実線で示す紙箱１０を閉蓋した状態で、ラップフィルム３０を引出して切断した時に、その反動などで、円筒状の紙管４０に巻いたラップフィルム３０が巻戻り易いことが問題であって、続いてラップフィルム３０を引出して切断しようとしても、切断されたラップフィルム３０の次の先端部分が、反転するなどして、円筒状の紙管４０に巻いたラップフィルム３０に密着することが多いために、次の先端部分が見つけ難く摘み難いことが問題であった。
【０００５】
そこで、本発明の目的は、家庭用のアルミホイルや樹脂フィルムなどの、円筒状の紙管４０に巻いたラップフィルム３０を収容する、ラップフィルム３０の飛出しと巻戻りとを防止した、続いてラップフィルム３０を引出して切断しようとする時に、次の先端部分が見つけ易く摘み易いラップフィルム収容紙箱を提供することにある。
【０００６】
【０００７】
【０００８】
【０００９】
【００１０】
【課題を解決するための手段】
本発明の請求項１に記載のラップフィルム収容紙箱は、前述した図４に示すような、蓋面前板５ａの下端部（図４Ａ，図２Ａでは上端部）や底面板３の前端部などに、金属製や硬化樹脂製などの横長鋸刃２０を取付けて成る、円筒状の紙管４０に巻いたラップフィルム３０を収容する横長直方体状の紙箱１０において、図２に示すように、後面板４の上部に、中央に横方向の谷折り線ｄと下端の左右に繋止突起ｅ，ｅとを設けたつづみ形の押え部材４２を、横方向の折り目線ａと切れ目線ｃとで区画して設けて、また後面板４の上部の谷折り線ｄの延長線上の左右に、横方向の繋止切れ目ｆ，ｆを設けて、後面板４の上部内面側に、このつづみ形の押え部材４２を折り目線ａを山折りして押込んで、谷折り線ｄを谷折りして繋止切れ目ｆ，ｆに繋止突起ｅ，ｅを挿入して繋止して、二重ひさし状の押え部材４２を形成したことを特徴とするラップフィルム収容紙箱である。
【００１１】
本発明の請求項１に記載のラップフィルム収容紙箱においては、後面板４の上部に、中央に横方向の谷折り線ｄと下端の左右に繋止突起ｅ，ｅとを設けたつづみ形の押え部材４２を、横方向の折り目線ａと切れ目線ｃとで区画して設けて、また後面板４の上部の谷折り線ｄの延長線上の左右に、横方向の繋止切れ目ｆ，ｆを設けて、後面板４の上部内面側に、このつづみ形の押え部材４２を折り目線ａを山折りして押込んで、谷折り線ｄを谷折りして繋止切れ目ｆ，ｆに繋止突起ｅ，ｅを挿入して繋止して、図２Ｃに示す二重ひさし状の押え部材４２を形成したことによって、図２Ｄに破線で示す紙箱１０を開蓋した状態で、ラップフィルム３０を必要長さだけ引出した時に、引っ張られて、円筒状の紙管４０に巻いたラップフィルム３０が飛出そうとしても、このラップフィルム３０の
上部後面を、後面板４の上部内面側に形成した二重ひさし状の押え部材４２がしっかり押えているために、円筒状の紙管４０に巻いたラップフィルム３０が飛出す恐れが少ない、また図２Ｄに実線で示す紙箱１０を閉蓋した状態で、ラップフィルム３０を引出して切断した時に、その反動などで、円筒状の紙管４０に巻いたラップフィルム３０が巻戻ろうとしても、このラップフィルム３０の上部後面を、同様に後面板４の上部内面側に形成した二重ひさし状の押え部材４２がしっかり押えているために、円筒状の紙管４０に巻いたラップフィルム３０が巻戻る恐れが少ない、ラップフィルム３０の飛出しと巻戻りとを防止したラップフィルム収容紙箱であって、続いてラップフィルム３０を引出して切断しようとする時に、少しのラップフィルム３０の飛出しや巻戻りなどがあって、切断されたラップフィルム３０の次の先端部分が、反転するなどして、円筒状の紙管４０に巻いたラップフィルム３０に密着しようとしても、前述した二重ひさし状の押え部材４２の上面側に被さることがあって、次の先端部分が見つけ易く摘み易いラップフィルム収容紙箱を提供することができる。
【００１２】
本発明の請求項２に記載のラップフィルム収容紙箱は、前述した図４に示すような、蓋面前板５ａの下端部（図４Ａ，図３Ａでは上端部）や底面板３の前端部などに、金属製や硬化樹脂製などの横長鋸刃２０を取付けて成る、円筒状の紙管４０に巻いたラップフィルム３０を収容する横長直方体状の紙箱１０において、図３に示すように、後面板４の上部に、左右の端部に繋止切欠きｇ，ｇを設けた２枚で１組の相対する羽根形の押え部材４３を、縦方向の折り目線ｂ，ｂと切れ目線ｃ，ｃとで区画して設けて、後面板４の上部内面側に、この相対する羽根形の押え部材４３を折り目線ｂ，ｂを山折りして押込んで、繋止切欠きｇ，ｇどうしを繋止して、羽根を休めた形状の押え部材４３を形成したことを特徴とするラップフィルム収容紙箱である。
【００１３】
本発明の請求項２に記載のラップフィルム収容紙箱においては、後面板４の上部に、左右の端部に繋止切欠きｇ，ｇを設けた２枚で１組の相対する羽根形の押え部材４３を、縦方向の折り目線ｂ，ｂと切れ目線ｃ，ｃとで区画して設けて、後面板４の上部内面側に、この相対する羽根形の押え部材４３を折り目線ｂ，ｂを山折りして押込んで、繋止切欠きｇ，ｇどうしを繋止して、図３Ｃに示す羽根を休めた形状の押え部材４３を形成したことによって、図３Ｄに破線で示す紙箱１０を開蓋した状態で、ラップフィルム３０を必要長さだけ引出した時に、引っ張られて、円筒状の紙管４０に巻いたラップフィルム３０が飛出そうとしても、このラップフィルム３０の上部後面を、後面板４の上部内面側に形成した羽根を休めた形状の押え部材４３が確実に押えているために、円筒状の紙管４０に巻いたラップフィルム３０が飛出す恐れがない、また図３Ｄに実線で示す紙箱１０を閉蓋した状態で、ラップフィルム３０を引出して切断した時に、その反動などで、円筒状の紙管４０に巻いたラップフィルム３０が巻戻ろうとしても、このラップフィルム３０の上部後面を、同様に後面板４の上部内面側に形成した羽根を休めた形状の押え部材４３が確実に押えているために、円筒状の紙管４０に巻いたラップフィルム３０が巻戻る恐れがない、ラップフィルム３０の飛出しと巻戻りとを防止したラップフィルム収容紙箱であって、続いてラップフィルム３０を引出して切断しようとする時に、僅かのラップフィルム３０の飛出しや巻戻りなどがあって、切断されたラップフィルム３０の次の先端部分が、反転するなどして、円筒状の紙管４０に巻いたラップフィルム３０に密着しようとしても、前述した羽根を休めた形状の押え部材４３の上面側に被さることがあって、次の先端部分が見つけ易く摘み易いラップフィルム収容紙箱を提供することができる。
【００１４】
【発明の実施の形態】
本発明のラップフィルム収容紙箱については、後述する実施例に示すように、通常の印刷をした適宜の板紙などを用いて、通常の打抜型を用いた打抜工程と金属製鋸刃の切断取付工程とで、無駄が少ない長方形状のラップフィルム収容紙箱のブランクを作製して、従来と同様の機械的な製箱工程で、横長直方体状のラップフィルム収容紙箱を、余分な工程や費用などを掛けずに廉価に作製することができるものであって、しかもラップフィルム３０が少なくなった時などの必要に応じて、顧客などが、円筒状の紙管４０に巻いたラップフィルム３０を収容したままの状態で、後面板４の上部内面側に、
図２Ｃに示す二重ひさし状の押え部材４２や図３Ｃに示す羽根を休めた形状の押え部材４３を、折り目線ａや折り目線ｂ，ｂを山折りするなどして押込んで、簡単に形成することができるラップフィルム収容紙箱である。
【００１５】
【００１６】
【００１７】
【００１８】
【００１９】
【実施例】
＜実施例１＞図２Ａ，Ｂは、本発明の実施例１のラップフィルム収容紙箱における、ブランクの平面図，斜視図であって、また図２Ｃは、二重ひさし状の押え部材４２を形成した状態を示す部分斜視図であって、さらに図２Ｄは、ラップフィルム３０を引出して切断する状態を示す断面図である。
【００２０】
すなわち、前述した従来の、図４に示す円筒状の紙管４０に巻いたラップフィルム３０を収容する横長直方体状の紙箱１０において、後面板４の上部に、中央に横方向の谷折り線ｄと下端の左右に繋止突起ｅ，ｅとを設けたつづみ形の押え部材４２を、横方向の折り目線ａと切れ目線ｃとで区画して設けて、また後面板４の上部の谷折り線ｄの延長線上の左右に、横方向の繋止切れ目ｆ，ｆを設けた、図２Ａに示すラップフィルム収容紙箱のブランクであって、表面に通常の印刷をした３７０ｇ／ｍ２のコートボール紙を用いて、通常の打抜型を用いた打抜工程と金属製鋸刃の切断取付工程とで、縦と横と高さとが４５×３１４×４５ｍｍの横長直方体状の、無駄が少ない長方形状のラップフィルム収容紙箱のブランクを作製した。
【００２１】
次に、従来と同様の機械的な製箱工程で、図２Ａに示すラップフィルム収容紙箱のブランクの、全ての符号がない１点鎖線で示す折り目線を山折りして、左右の蓋面横板５ｂ，５ｂと糊代片５ｃ，５ｃとを、それぞれ貼着して、また左右の側面板６，６と側面内板６ｂ，６ｂとを、それぞれ糊代片６ｃ，６ｃを挟んで貼着して、図２Ｂに示す被せ蓋式の蓋面を開放した横長直方体状に製箱した後に、直径４ｃｍの円筒状の紙管４０に巻いた家庭用の３０ｃｍ幅×２０ｍのラップフィルム３０を収容して、前面板２の下部外面側に、開封片７の内面側をスポット状に貼着（剥離ニスと円形半切刃と層間剥離とを利用した開封容易な従来公知の貼着方法、図示せず）して閉蓋して、本発明の実施例１のラップフィルム収容紙箱を作製した。
【００２２】
本発明の実施例１のラップフィルム収容紙箱においては、図２Ｂに示すように、前面板２の下部にスポット状に貼着した開封片７を剥がしながら、断続的な切れ目線ｉを切断して除去して開蓋して、必要に応じて顧客などが、後面板４の上部内面側に、前述したつづみ形の押え部材４２を折り目線ａを山折りして押込んで、谷折り線ｄを谷折りして繋止切れ目ｆ，ｆに繋止突起ｅ，ｅを挿入して繋止して、図２Ｃに示す二重ひさし状の押え部材４２を形成することによって、図２Ｄに破線で示す紙箱１０を開蓋した状態で、ラップフィルム３０を必要長さだけ引出した時に、円筒状の紙管４０に巻いたラップフィルム３０の上部後面を、後面板４の上部内面側に形成した二重ひさし状の押え部材４２がしっかり押えているために、このラップフィルム３０が飛出す恐れが少ない、また図２Ｄに実線で示す紙箱１０を閉蓋した状態で、ラップフィルム３０を引出して切断した時に、円筒状の紙管４０に巻いたラップフィルム３０の上部後面を、同様に後面板４の上部内面側に形成した二重ひさし状の押え部材４２がしっかり押えているために、このラップフィルム３０が巻戻る恐れが少ない、ラップフィルム３０の飛出しと巻戻りとを防止したラップフィルム収容紙箱であって、続いてラップフィルム３０を引出して切断しようとする時に、少しのラップフィルム３０の飛出しや巻戻りなどがあっても、切断されたラップフィルム３０の次の先端部分が、前述した二重ひさし状の押え部材４２の上面側に被さることがあって、次の先端部分が見つけ易く摘み易いラップフィルム収容紙箱を得ることができた。
【００２３】
＜実施例２＞図３Ａ，Ｂは、本発明の実施例２のラップフィルム収容紙箱における、ブランクの平面図，斜視図であって、また図３Ｃは、羽根を休めた形状の押え部
材４３を形成した状態を示す部分斜視図であって、さらに図３Ｄは、ラップフィルム３０を引出して切断する状態を示す断面図である。
【００２４】
すなわち、前述した従来の、図４に示す円筒状の紙管４０に巻いたラップフィルム３０を収容する横長直方体状の紙箱１０において、後面板４の上部に、左右の端部に繋止切欠きｇ，ｇを設けた２枚で１組の相対する羽根形の押え部材４３を、縦方向の折り目線ｂ，ｂと切れ目線ｃ，ｃとで区画して設けた、図３Ａに示すラップフィルム収容紙箱のブランクであって、実施例１と同様に、表面に通常の印刷をした３７０ｇ／ｍ２のコートボール紙を用いて、通常の打抜型を用いた打抜工程と金属製鋸刃の切断取付工程とで、縦と横と高さとが４５×３１４×４５ｍｍの横長直方体状の、無駄が少ない長方形状のラップフィルム収容紙箱のブランクを作製した。
【００２５】
次に、従来と同様の機械的な製箱工程で、図３Ａに示すラップフィルム収容紙箱のブランクの、全ての符号がない１点鎖線で示す折り目線を山折りして、左右の蓋面横板５ｂ，５ｂと糊代片５ｃ，５ｃとを、それぞれ貼着して、また左右の側面板６，６と側面内板６ｂ，６ｂとを、それぞれ糊代片６ｃ，６ｃを挟んで貼着して、図３Ｂに示す被せ蓋式の蓋面を開放した横長直方体状に製箱した後に、実施例１と同様に、直径４ｃｍの円筒状の紙管４０に巻いた家庭用の３０ｃｍ幅×２０ｍのラップフィルム３０を収容して、前面板２の下部外面側に、開封片７の内面側をスポット状に貼着（剥離ニスと円形半切刃と層間剥離とを利用した開封容易な従来公知の貼着方法、図示せず）して閉蓋して、本発明の実施例２のラップフィルム収容紙箱を作製した。
【００２６】
本発明の実施例２のラップフィルム収容紙箱においては、図３Ｂに示すように、前面板２の下部にスポット状に貼着した開封片７を剥がしながら、断続的な切れ目線ｉを切断して除去して開蓋して、必要に応じて顧客などが、後面板４の上部内面側に、前述した相対する羽根形の押え部材４３を折り目線ｂ，ｂを山折りして押込んで、繋止切欠きｇ，ｇどうしを繋止して、図３Ｃに示す羽根を休めた形状の押え部材４３を形成することによって、図３Ｄに破線で示す紙箱１０を開蓋した状態で、ラップフィルム３０を必要長さだけ引出した時に、円筒状の紙管４０に巻いたラップフィルム３０の上部後面を、後面板４の上部内面側に形成した羽根を休めた形状の押え部材４３が確実に押えているために、このラップフィルム３０が飛出す恐れがない、また図３Ｄに実線で示す紙箱１０を閉蓋した状態で、ラップフィルム３０を引出して切断した時に、円筒状の紙管４０に巻いたラップフィルム３０の上部後面を、同様に後面板４の上部内面側に形成した羽根を休めた形状の押え部材４３が確実に押えているために、このラップフィルム３０が巻戻る恐れがない、ラップフィルム３０の飛出しと巻戻りとを防止したラップフィルム収容紙箱であって、続いてラップフィルム３０を引出して切断しようとする時に、僅かのラップフィルム３０の飛出しや巻戻りなどがあっても、切断されたラップフィルム３０の次の先端部分が、前述した羽根を休めた形状の押え部材４３の上面側に被さることがあって、次の先端部分が見つけ易く摘み易いラップフィルム収容紙箱を得ることができた。
【００２７】
【発明の効果】
以上、実施例ほかに示すとおり、本発明のラップフィルム収容紙箱においては、家庭用のアルミホイルや樹脂フィルムなどの、円筒状の紙管４０に巻いたラップフィルム３０を収容する、ラップフィルム３０の飛出しと巻戻りとを防止した、続いてラップフィルム３０を引出して切断しようとする時に、次の先端部分が見つけ易く摘み易いラップフィルム収容紙箱を提供することができる。
【図面の簡単な説明】
【図１】参考図である。
【図２】本発明の実施例１のラップフィルム収容紙箱における、図２Ａ，Ｂは、ブランクの平面図，斜視図であって、また図２Ｃは、二重ひさし状の押え部材４２を形成した状態を示す部分斜視図であって、さらに図２Ｄは、ラップフィルム３０を引出して切断する状態を示す断面図である。
【図３】本発明の実施例２のラップフィルム収容紙箱における、図３Ａ，Ｂは、ブランクの平面図，斜視図であって、また図３Ｃは、羽根を休めた形状の押え部材４３を形成した
状態を示す部分斜視図であって、さらに図３Ｄは、ラップフィルム３０を引出して切断する状態を示す断面図である。
【図４】従来のラップフィルム収容紙箱における、図４Ａ，Ｂは、ブランクの平面図，斜視図であって、また図４Ｃは、ラップフィルム３０を引出して切断する状態を示す断面図である。
【符号の説明】
２          …前面板
２ｂ        …ラップ支え片
３          …底面板
４          …後面板
４２，４３  …押え部材
５          …蓋面板
５ａ        …蓋面前板
５ｂ        …蓋面横板
５ｃ，６ｃ  …糊代片
６          …側面板
６ｂ        …側面内板
７          …開封片
１０        …紙箱
２０        …横長鋸刃
３０        …ラップフィルム
４０        …円筒状の紙管
ａ，ｂ      …折り目線
ｃ          …切れ目線
ｄ          …谷折り線
ｅ          …繋止突起
ｆ          …繋止切れ目
ｇ          …繋止切欠き
ｉ          …断続的な切れ目線
【図１】
0004058984.tif 000002
【図２】
0004058984.tif 000003
【図３】
0004058984.tif 000004
【図４】
0004058984.tif 000005